(57)【要約】【課題】必要な構成を増やすことなく、異なる監視場所での重複操作を防止して運転状態指示操作を適正に受け付けること。【解決手段】監視制御システムにおいて、コントローラ３０は、少なくとも複数の監視装置のうちの特定の監視装置に与えられる操作権を示す操作権設定の現在値を監視装置４０１，４０３からの操作通知に応じて管理する条件項目管理部３１と、監視装置４０１，４０３からの操作通知に応じて対象装置の運転状態を制御する運転状態制御部３５とを備える。また、監視装置４０１，４０３において、監視装置側判定部は、条件項目管理部３１が管理する操作権設定の現在値と自装置のログイン名とをもとに、自装置において対象装置の運転状態を指示する運転状態指示操作が可能か否かを判定する。表示処理部は、監視装置側判定部が操作可能と判定した場合は運転状態指示操作を受け付ける態様で操作画面を表示処理する。【選択図】図５
2014056330.tif 000002
【特許請求の範囲】
【請求項１】
コントローラと複数の監視装置とがデータを送受可能に接続されて構成され、前記監視装置を介して水処理プラント内に設置された対象装置の監視制御を行う監視制御システムであって、
前記コントローラは、
少なくとも前記複数の監視装置のうちの特定の監視装置に与えられる操作権を示す操作権設定の現在値を前記監視装置からの操作通知に応じて管理する管理手段と、
前記監視装置からの操作通知に応じて前記対象装置の運転状態を制御する運転状態制御手段と、
を備え、
前記監視装置は、
前記管理手段によって管理されている前記操作権設定の現在値を取得する操作権取得手段と、
自装置のログイン名を取得するログイン名取得手段と、
前記操作権設定の現在値と前記ログイン名とをもとに、自装置において前記対象装置の運転状態を指示する運転状態指示操作が可能か否かを判定する監視装置側判定手段と、
操作権を指示する操作権指示操作および前記運転状態指示操作を受け付けるための操作画面を表示処理し、受け付けた操作を前記コントローラに通知する表示処理手段と、
を備え、
前記表示処理手段は、前記監視装置側判定手段が操作可能と判定した場合は前記運転状態指示操作を受け付ける態様で前記操作画面を表示処理し、操作不可と判定した場合は前記運転状態指示操作を受け付けない態様で前記操作画面を表示処理することを特徴とする監視制御システム。
【請求項２】
前記監視制御システムは、前記対象装置の近傍に設置され、監視装置または現場盤を示す操作場所設定の現在値をもとに、該操作場所設定の現在値が現場盤を示す場合は当該現場盤に対する操作に応じて前記対象装置の運転および停止を切り換える一方、監視装置を示す場合は前記コントローラによる前記運転状態の制御下で前記対象装置の運転および停止を切り換える現場盤を備え、
前記管理手段は、前記操作場所設定の現在値をさらに管理し、
前記コントローラは、前記操作場所設定の現在値が監視装置を示す場合に前記運転状態指示操作の許可通知を前記複数の監視装置の各々に出力するコントローラ側判定手段を備え、
前記監視装置側判定手段は、前記コントローラから前記許可通知が入力されていることを条件に前記運転状態指示操作の可否を判定することを特徴とする請求項１に記載の監視制御システム。
【請求項３】
前記管理手段は、前記対象装置の自動制御を行う自動モードまたは前記対象装置の手動制御を行う手動モードを示すモード設定の現在値をさらに管理しており、
前記コントローラ側判定手段は、前記操作場所設定の現在値が監視装置を示す場合であって、かつ前記モード設定の現在値が手動モードを示す場合に、前記許可通知を前記複数の監視装置の各々に出力し、
前記運転状態制御手段は、前記モード設定の現在値が自動モードを示す場合は前記対象装置の運転状態を自動制御する一方、手動モードを示す場合は前記操作通知に応じた制御を行うことを特徴とする請求項１または２に記載の監視制御システム。
【発明の詳細な説明】
【技術分野】
【０００１】
本発明は、コントローラと複数の監視装置とがデータを送受可能に接続されて構成され、監視装置を介して水処理プラント内に設置された対象装置の監視制御を行う監視制御システムに関する。
【背景技術】
【０００２】
浄水場や下水処理場等の水処理プラントの監視制御システムは、水処理プラント内の装置（対象装置）の運転状態を制御するコントローラや、異なる監視場所に設置された複数の監視装置等を備えて構成され、監視装置を介して水処理プラントの遠隔監視を行うとともに、適宜対象装置の運転状態を指示する操作（運転状態指示操作）を受け付けてその手動制御を行っている。
【０００３】
また、このような監視制御システムによる遠隔監視は水処理プラントの運転管理者によって行われるものであるが、これとは別に、その運転内容を運転管理者以外の第三者に監視・評価させるようにしたものも知られている（特許文献１を参照）。
【０００４】
ところで、前述のような監視制御システムでは、通常、特定の監視装置のみに操作権を与えることで別々の監視装置での重複操作を防止している。具体的には、従来の監視制御システムでは、監視場所毎の判定用回路をコントローラ側に設けて各々の監視場所における操作権の有無を個別に判定し、該当する監視場所に操作権が与えられていると判定した判定用回路が対応する監視装置に対して運転状態指示操作を許可する通知を出力することで、操作権が与えられている監視場所の監視装置だけが運転状態指示操作を行えるようにしている。
【先行技術文献】
【特許文献】
【０００５】
【特許文献１】特開２００８−５９１４４号公報
【発明の概要】
【発明が解決しようとする課題】
【０００６】
しかしながら、上記した従来の監視制御システムの構成では、各監視場所に対応する監視場所毎の判定用回路をコントローラに設ける必要があるため、監視場所の数が多ければ搭載する判定用回路の数も増大し、監視場所を追加する場合にあっては新たにその監視場所用の判定用回路をコントローラに増設する必要があった。
【０００７】
本発明は、上記に鑑みてなされたものであって、必要な構成を増やすことなく、異なる監視場所での重複操作を防止して運転状態指示操作を適正に受け付けることができる監視制御システムを提供することを目的とする。
【課題を解決するための手段】
【０００８】
上記した課題を解決し、目的を達成するため、本発明にかかる監視制御システムは、コントローラと複数の監視装置とがデータを送受可能に接続されて構成され、前記監視装置を介して水処理プラント内に設置された対象装置の監視制御を行う監視制御システムであって、前記コントローラは、少なくとも前記複数の監視装置のうちの特定の監視装置に与えられる操作権を示す操作権設定の現在値を前記監視装置からの操作通知に応じて管理する管理手段と、前記監視装置からの操作通知に応じて前記対象装置の運転状態を制御する運転状態制御手段と、を備え、前記監視装置は、前記管理手段によって管理されている前記操作権設定の現在値を取得する操作権取得手段と、自装置のログイン名を取得するログイン名取得手段と、前記操作権設定の現在値と前記ログイン名とをもとに、自装置において前記対象装置の運転状態を指示する運転状態指示操作が可能か否かを判定する監視装置側判定手段と、操作権を指示する操作権指示操作および前記運転状態指示操作を受け付けるための操作画面を表示処理し、受け付けた操作を前記コントローラに通知する表示処理手段と、を備え、前記表示処理手段は、前記監視装置側判定手段が操作可能と判定した場合は前記運転状態指示操作を受け付ける態様で前記操作画面を表示処理し、操作不可と判定した場合は前記運転状態指示操作を受け付けない態様で前記操作画面を表示処理することを特徴とする。
【０００９】
また、本発明にかかる監視制御システムは、上記発明において、前記監視制御システムは、前記対象装置の近傍に設置され、監視装置または現場盤を示す操作場所設定の現在値をもとに、該操作場所設定の現在値が現場盤を示す場合は当該現場盤に対する操作に応じて前記対象装置の運転および停止を切り換える一方、監視装置を示す場合は前記コントローラによる前記運転状態の制御下で前記対象装置の運転および停止を切り換える現場盤を備え、前記管理手段は、前記操作場所設定の現在値をさらに管理し、前記コントローラは、前記操作場所設定の現在値が監視装置を示す場合に前記運転状態指示操作の許可通知を前記複数の監視装置の各々に出力するコントローラ側判定手段を備え、前記監視装置側判定手段は、前記コントローラから前記許可通知が入力されていることを条件に前記運転状態指示操作の可否を判定することを特徴とする。
【００１０】
また、本発明にかかる監視制御システムは、上記発明において、前記管理手段は、前記対象装置の自動制御を行う自動モードまたは前記対象装置の手動制御を行う手動モードを示すモード設定の現在値をさらに管理しており、前記コントローラ側判定手段は、前記操作場所設定の現在値が監視装置を示す場合であって、かつ前記モード設定の現在値が手動モードを示す場合に、前記許可通知を前記複数の監視装置の各々に出力し、前記運転状態制御手段は、前記モード設定の現在値が自動モードを示す場合は前記対象装置の運転状態を自動制御する一方、手動モードを示す場合は前記操作通知に応じた制御を行うことを特徴とする。
【発明の効果】
【００１１】
本発明によれば、監視装置の各々が操作権設定の現在値とログイン名とをもとに自装置において運転状態指示操作が可能か否かを判定することができるので、従来の監視制御システムのように、各監視場所における操作権の有無を個別に判定する構成をコントローラ側に設ける必要がない。そして、運転状態指示操作が可能と判定した場合は運転状態指示操作を受け付ける態様で操作画面を表示処理し、操作不可と判定した場合は運転状態指示操作を受け付けない態様で操作画面を表示処理することができる。したがって、必要な構成を増やすことなく、異なる監視場所での重複操作を防止して運転状態指示操作を適正に受け付けることができる。
【図面の簡単な説明】
【００１２】
【図１】図１は、監視制御システムの概略構成例を示すブロック図である。
【図２】図２は、監視装置の機能構成例を示すブロック図である。
【図３】図３は、現場盤および監視装置におけるＮｏ．１ポンプの運転に関する操作およびこの操作に伴う運転状態の制御について説明する模式図である。
【図４−１】図４−１は、監視装置（Ａ所）に表示される操作画面例を示す図である。
【図４−２】図４−２は、監視装置（Ｂ所）に表示される操作画面例を示す図である。
【図５】図５は、運転状態指示操作の可否判定の手順を説明する説明図である。
【図６】図６は、実施の形態における操作受付処理の処理手順を示すフローチャートである。
【図７】図７は、従来の監視制御システムにおける運転状態指示操作の可否判定の手順を説明する図である。
【図８】図８は、モード指示操作および運転状態指示操作の可否判定の手順を説明する説明図である。
【図９】図９は、変形例における操作受付処理の処理手順を示すフローチャートである。
【発明を実施するための形態】
【００１３】
以下、図面を参照して、本発明の監視制御システムを実施するための形態について説明する。なお、この実施の形態によって本発明が限定されるものではない。また、図面の記載において、同一部分には同一の符号を付して示している。
【００１４】
（実施の形態）
図１は、本実施の形態の監視制御システム１の概略構成例を示すブロック図である。図１に示すように、監視制御システム１は、対象装置１０（１０−１，２，・・・）と、現場盤２０（２０−１，２，・・・）と、コントローラ３０と、監視装置４０（４０−１，２，・・・）とがデータを送受可能に接続されて構成されている。
【００１５】
この監視制御システム１が適用される浄水場や下水処理場等の水処理プラントは、河川水や湖水、汚水等を水処理するためのいくつかの水槽を備えており、これら水槽を設けた現場には、例えばポンプ１０−１やバルブ１０−２等の必要な機器が設置されている。監視制御システム１は、これらポンプ１０−１やバルブ１０−２等の機器を監視制御対象の対象装置１０とし、対象装置１０の制御を行う。具体的には、監視制御システム１は、予め対象装置１０を自動制御するために定められる制御情報等に従って自動的に、あるいは監視装置４０や現場盤２０に対するオペレータの操作に応じて手動で、対象装置１０の運転状態（運転／停止）を制御する。
【００１６】
現場盤２０は、対象装置１０が設置された現場において対象装置１０の近傍に設置される。この現場盤２０は、対応する対象装置１０の運転に関するオペレータの操作を促す操作画面を表示し、表示画面と一体形成されたタッチセンサによって前述の操作を受け付ける。例えば、ポンプ１０−１の現場盤２０はポンプ１０−１の設置位置近傍に設置され、ポンプ１０−１の運転に関する操作が可能な操作場所を指示する操作、ポンプ１０−１の運転状態を指示する操作等を受け付ける。同様に、バルブ１０−２の現場盤２０はバルブ１０−２の設置位置近傍に設置され、バルブ１０−２の運転に関する操作が可能な操作場所を指示する操作、バルブ１０−２の運転状態を指示する操作等を受け付ける。そして、現場盤２０は、操作指示された操作場所や運転状態をコントローラ３０に通知する。
【００１７】
この現場盤２０は、操作画面に対する操作に応じて対応する対象装置１０に運転指令または停止指令を出力して対象装置１０の運転／停止を切り換える指令出力部２１（図３を参照）を備えている。また、現場盤２０には、コントローラ３０から切換制御通知が入力されるようになっており、指令出力部２１は、この切換制御通知に従って対応する対象装置１０に運転指令または停止指令を出力する。これにより、対応する対象装置１０の運転状態が自動または手動で切り換わる。その他、現場盤２０は、コントローラ３０によって収集・演算処理される計測値や演算値のうちの該当する対象装置１０の運転において監視が必要な値を取得し、画面表示してオペレータに提示する等の処理を行う。
【００１８】
コントローラ３０は、水処理プラント内の適所で計測される例えば処理水の流量や水位、温度、ｐＨ等の計測値を収集するとともに、これら計測値を適宜演算処理する。また、コントローラ３０は、例えば、演算値や計測値等をもとに、事前に定められる所定条件に従って対象装置１０のモード（自動モード／手動モード）を切り換えて設定する。
【００１９】
このコントローラ３０は、監視制御対象の対象装置１０の運転状態を自動または手動で制御する。具体的には、コントローラ３０は、自動モードの設定時には、上記した制御情報に従い、適宜計測値や演算値を参照しながら対象装置１０の運転指令または停止指令を指定した切換制御通知を随時該当する対象装置１０の現場盤２０に出力する。一方、手動モードの設定時においては、コントローラ３０は、監視装置４０からの運転状態の操作通知に応じて対象装置１０の運転指令または停止指令を指定した切換制御通知を該当する対象装置１０の現場盤２０に出力する。
【００２０】
また、コントローラ３０は、モードを切り換えた際に現在のモード設定を更新するとともに、現場盤２０から入力される操作場所に応じて該当する対象装置１０の現在の操作場所設定を更新し、監視装置４０から入力される操作権に応じて該当する対象装置１０の現在の操作権設定を更新し、現場盤２０および監視装置４０から入力される運転状態に応じて該当する対象装置１０の現在の運転状態設定を更新する。
【００２１】
監視装置４０は、水処理プラントを遠隔から監視するためのものであり、例えば、中央監視室や電気室等の現場から離れた複数の監視場所に各々設置される。この監視装置４０は、コントローラ３０によって収集・演算処理される計測値および演算値のうち、水処理プラントを運用する上で監視が必要なものを取得する。そして、監視装置４０は、取得した監視制御項目値を提示した監視画面を表示するとともに、この監視制御項目値を例えば閾値処理して異常を判定し、異常と判定した場合に警報の出力を行う。警報の出力は、監視装置４０に画面表示することで行ってもよいし、水処理プラント内の適所に設置したスピーカから警報音を出力する構成としてもよい。
【００２２】
また、監視装置４０は、監視制御対象の対象装置１０の運転に関するオペレータの操作を促す操作画面を表示し、表示画面と一体形成されたタッチセンサによって前述の操作を受け付ける。例えば、監視装置４０は、運転状態を指示する運転状態指示操作、この運転状態指示操作の操作権を指示する操作権指示操作等を対象装置１０毎に受け付ける。そして、監視装置４０は、操作権指示操作に応じて該当する対象装置１０についての操作権をコントローラ３０に出力し、運転状態指示操作に応じて該当する対象装置１０についての運転状態をコントローラ３０に出力することで、受け付けた操作をコントローラ３０に通知する。
【００２３】
なお、図１中には図示していないが、コントローラ３０と監視装置４０との間には、コントローラ３０によって更新される操作場所設定、操作権設定、モード設定、および運転状態設定の現在値、各監視装置４０のログイン名、コントローラ３０によって収集・演算処理される計測値や演算値等、監視装置４０が監視画面や操作画面を表示する際等に用いるデータを保持するサーバが適宜設置される。
【００２４】
図２は、監視装置４０の機能構成例を示すブロック図である。図２に示すように、監視装置４０は、入力部４１と、表示部４３と、通信部４５と、記憶部４７と、各部を制御する制御部４９とを含む。この監視装置４０は、例えばワークステーションやパソコン等の汎用コンピュータを用いて実現される。
【００２５】
入力部４１は、表示部４３の表示画面と一体形成されたタッチセンサの他、キーボードやマウス、スイッチ等の各種入力装置によって実現されるものであり、操作入力に応じた入力信号を制御部４９に出力する。表示部４３は、ＬＣＤやＥＬディスプレイ、ＣＲＴディスプレイ等の表示装置によって実現されるものであり、制御部４９から入力される表示信号をもとに監視画面や操作画面等の各種画面を表示する。通信部４５は、ＬＡＮや専用回線、インターネット、イントラネット等の各種通信網を介して外部（例えば不図示のサーバ等）とのデータ通信を行う。この通信部４５は、モデムやＴＡ、通信ケーブルのジャックや制御回路等によって実現される。
【００２６】
記憶部４７は、更新記憶可能なフラッシュメモリ等のＲＯＭやＲＡＭといった各種ＩＣメモリ、内蔵あるいはデータ通信端子で接続されたハードディスク、ＤＶＤ−ＲＯＭ等の情報記憶媒体およびその読取装置等によって実現されるものである。この記憶部４７には、監視装置４０を動作させ、この監視装置４０が備える種々の機能を実現するためのプログラムや、このプログラムの実行中に使用されるデータ等が事前に保存され、あるいは処理の都度一時的に保存される。
【００２７】
制御部４９は、ＣＰＵ等で実現され、入力部４１から入力される入力信号、通信部４５から入力される外部からのデータ、記憶部４７に保存されるプログラムやデータ等をもとに、監視装置４０を構成する各部への指示やデータの転送等を行って監視装置４０の動作を制御する。この制御部４９は、操作権指示操作および運転状態指示操作を受け付けてその操作をコントローラ３０に通知するための機能部として、操作権取得手段としての操作権取得部４９１と、ログイン名取得手段としてのログイン名取得部４９３と、監視装置側判定手段としての監視装置側判定部４９５と、表示処理手段としての表示処理部４９７とを含む。
【００２８】
以下、Ａ所およびＢ所の２箇所に監視装置４０を設置し、水処理プラント内にいくつか設置されるうちの１台のポンプを対象装置１０として監視・制御する場合を例に挙げて本実施の形態の監視制御システム１について詳細に説明する。なお、以下では、対象装置１０として着目する１台のポンプをＮｏ．１ポンプ１０１、Ｎｏ．１ポンプ１０１の現場盤２０を現場盤２０１、Ａ所に設置された監視装置４０を監視装置（Ａ所）４０１、Ｂ所に設置された監視装置４０を監視装置（Ｂ所）４０３と表記・図示する。図３は、Ｎｏ．１ポンプ１０１の現場盤２０１および監視装置４０１，４０３におけるＮｏ．１ポンプ１０１の運転に関する操作およびこの操作に伴うＮｏ．１ポンプ１０１の運転状態の制御について説明する模式図である。
【００２９】
上記したように、現場盤２０１では、Ｎｏ．１ポンプ１０１の操作場所および運転状態を指示する操作を受け付ける。これら操作を受け付けるために現場盤２０１に表示される操作画面には、Ｎｏ．１ポンプ１０１の操作場所として図３に示す「現場」，「中央」の２つの選択肢が操作ボタンとして表示される。これら操作ボタンによって「現場」を操作指示すると、操作場所設定が「現場」に更新され、Ｎｏ．１ポンプ１０１の運転に関する操作が現場盤２０１に対して許可される。また、「中央」は、複数の監視装置４０のいずれかを意味しており、「中央」を操作指示した場合には、Ｎｏ．１ポンプ１０１の運転に関する操作が中央側、本例では監視装置４０１，４０３に対して許可される。
【００３０】
また、現場盤２０１の操作画面には、Ｎｏ．１ポンプ１０１の運転状態として「運転」，「停止」の２つの選択肢が操作ボタンとして表示される。そして、Ｎｏ．１ポンプ１０１の運転に関する操作が現場盤２０１に対して許可されている場合には（Ａ１）、「運転」を指示操作するとＮｏ．１ポンプ１０１の運転指令が指令出力部２１の論理和処理部２１１に出力され（Ａ５）、「停止」を指示操作するとＮｏ．１ポンプ１０１の停止指令が指令出力部２１の論理和処理部２１２に出力される（Ａ７）。
【００３１】
また、Ｎｏ．１ポンプ１０１の運転に関する操作が監視装置４０１，４０３に対して許可されている場合（Ａ３）、監視装置４０１，４０３では、Ｎｏ．１ポンプ１０１の操作権指示操作および運転状態指示操作を受け付ける。図４−１は、これら操作権指示操作および運転状態指示操作を受け付けるために監視装置（Ａ所）４０１に表示される操作画面例を示す図であり、図４−２は、監視装置（Ｂ所）４０３に表示される操作画面例を示す図である。
【００３２】
図４−１，２に示すように、監視装置４０１，４０３には、画面構成が同一の操作画面が表示される。そして、各操作画面には、操作権として「Ａ所」，「Ｂ所」の２つの選択肢が操作ボタンＢ２１，Ｂ２２として表示され、Ｎｏ．１ポンプ１０１の運転状態として「運転」，「停止」の２つの選択肢が操作ボタンＢ２３，Ｂ２４として表示される。
【００３３】
これら操作ボタンＢ２１〜Ｂ２４のうち、操作ボタンＢ２３，Ｂ２４は、自装置が操作権を有しかつモード設定が「手動モード」の場合に操作可能となり、自装置に操作権がない場合やモード設定が「自動モード」の場合は操作不可となる。ここで、操作権は、例えば監視装置４０が設置される監視場所毎に与えられるようになっており、本例では、Ａ所またはＢ所に与えられる。したがって、操作ボタンＢ２３，Ｂ２４は、監視装置（Ａ所）４０１の操作画面においては、操作権がＡ所に与えられており、かつモード設定が「手動モード」の場合に操作可能となる。これに対し、監視装置（Ｂ所）４０３の操作画面においては、操作ボタンＢ２３，Ｂ２４は、操作権がＢ所に与えられており、かつモード設定が「手動モード」の場合に操作可能となる。なお、本例では、Ａ所およびＢ所にそれぞれ１台ずつ監視装置４０１，４０３が設置されることとしているが、各所に監視装置４０１，４０３が複数台設置される場合もある。この場合には、例えば操作権がＡ所に与えられている場合であれば、Ａ所に設置される全ての監視装置（Ａ所）４０１が操作権を有することとなる。
【００３４】
例えば、図４−１，２は、操作権がＡ所に与えられている場合であって、モード設定が「手動モード」の場合の操作画面例である。したがって、図４−１に示す監視装置（Ａ所）４０１の操作画面では操作ボタンＢ２３，Ｂ２４の操作が可能であるのに対し、図４−２に示す監視装置（Ｂ所）４０３の操作画面では操作ボタンＢ２３，Ｂ２４は操作できないようになっている。そして、図４−２に示すように、監視装置（Ｂ所）４０３の操作画面では、操作ボタンＢ２３，Ｂ２４を例えば淡色表示する等して操作できないことがオペレータに対して視覚的に示される。このように、監視装置４０１，４０３では、操作場所設定、操作権設定、およびモード設定の現在値に従い、自装置において運転状態指示操作が可能な場合は操作ボタンＢ２３，Ｂ２４の操作を受け付ける態様で、運転状態指示操作が不可の場合には操作ボタンＢ２３，Ｂ２４の操作を受け付けない態様で操作画面が表示される。
【００３５】
その他、操作画面の表示は、コントローラ３０が随時更新する操作場所設定や運転状態設定の現在値をその更新時等において取得することで、現場盤２０１や他の監視装置４０（この場合は相手方の監視装置４０１，４０３）での操作指示が反映されるようになっている。例えば、図４−１，２に示すように、操作画面では、操作ボタンＢ２１〜Ｂ２４の表示色を適宜変更する等して現在の操作場所設定および運転状態設定の設定状況がオペレータに示される。
【００３６】
そして、図３および図４−１に示すように、監視装置（Ａ所）４０１では、操作ボタンＢ２１を操作して「Ａ所」を操作指示すると（Ａ９）、モード設定が「自動モード」の場合は（Ａ１１）、コントローラ３０によってＮｏ．１ポンプ１０１の運転が自動制御され、随時Ｎｏ．１ポンプ１０１の運転指令または停止指令を指定した切換制御通知が指令出力部２１の論理和処理部２１１，２１２に出力される（Ａ１３／Ａ１５）。
【００３７】
また、モード設定が「手動モード」の場合は（Ａ１７）、操作ボタンＢ２３を操作して「運転」を操作指示すると（Ａ１９）、コントローラ３０によってＮｏ．１ポンプ１０１の運転指令を指定した切換制御通知が指令出力部２１の論理和処理部２１１に出力される（Ａ１３）。操作ボタンＢ２４を操作して「停止」を操作指示すると（Ａ２１）、コントローラ３０によってＮｏ．１ポンプ１０１の停止指令を指定した切換制御通知が指令出力部２１の論理和処理部２１２に出力される（Ａ１５）。
【００３８】
ここで、現場盤２０１の指令出力部２１は、Ｎｏ．１ポンプ１０１に対する最終的な指令（運転指令／停止指令）を出力してＮｏ．１ポンプ１０１の運転および停止を切り換えるものである。この指令出力部２１は、論理和処理部（ＯＲ）２１１，２１２，２１５、論理積処理部（ＡＮＤ）２１３、および反転処理部（ＮＯＴ）２１４の組合せによって構成され、反転処理部２１４および論理和処理部２１５には、インターロック条件（成立：ＯＦＦ／不成立：ＯＮ）が入力されるようになっている（Ａ２３）。インターロック条件は、水処理プラントに備えられる安全装置が水処理プラントを安全に運用するために監視するＮｏ．１ポンプ１０１の運転許可条件である。
【００３９】
論理和処理部２１１は、現場盤２０１から運転指令が入力され（Ａ５：ＯＮ）、またはコントローラ３０から切換制御通知として運転指令が入力された場合（Ａ１３：ＯＮ）に、運転指令を論理積処理部２１３に出力する（Ａ２５：ＯＮ）。また、論理和処理部２１２は、現場盤２０１から停止指令が入力され（Ａ７：ＯＮ）、またはコントローラ３０から切換制御通知として停止指令が入力された場合（Ａ１５：ＯＮ）に、停止指令を論理和処理部２１５に出力する（Ａ２７：ＯＮ）。
【００４０】
論理積処理部２１３は、論理和処理部２１１の出力と反転処理部２１４の出力とのＡＮＤ条件が成立した場合に、Ｎｏ．１ポンプ１０１に運転指令を出力する（Ａ２９）。すなわち、論理積処理部２１３は、論理和処理部２１１から運転指令が出力された際、インターロック条件が成立しておりＮｏ．１ポンプ１０１の運転が許可されている場合には、論理和処理部２１１の出力（Ａ２５：運転指令＝ＯＮ）と反転処理部２１４の出力（Ａ３１：ＯＮ）とのＡＮＤ条件が成立するため、Ｎｏ．１ポンプ１０１に運転指令を出力する。これにより、Ｎｏ．１ポンプ１０１の運転状態が「運転」に切り換わる。これに対し、インターロック条件が成立しておらず、Ｎｏ．１ポンプ１０１の運転が許可されていない場合には、論理和処理部２１１の出力（Ａ２５：運転指令＝ＯＮ）と反転処理部２１４の出力（Ａ３１：ＯＦＦ）とのＡＮＤ条件は成立しないため、論理積処理部２１３は、運転指令を出力しない。
【００４１】
論理和処理部２１５は、論理和処理部２１２から停止指令が入力され（Ａ２７：ＯＮ）、またはインターロック条件が不成立の場合（Ａ２３：ＯＮ）に、Ｎｏ．１ポンプ１０１に停止指令を出力する（Ａ３３）。これにより、Ｎｏ．１ポンプ１０１の運転状態が「停止」に切り換わる。
【００４２】
以上説明した監視制御システム１は、操作場所設定が「中央」であり、監視装置４０１，４０３に対してＮｏ．１ポンプ１０１の運転に関する操作が許可されている場合における運転状態指示操作の可否をコントローラ３０と監視装置４０１，４０３とで分担して判定するものである。
【００４３】
簡単に原理を説明する。先ず、監視装置４０１，４０３の操作画面は、操作場所設定が「中央」であることを前提に操作を受け付ける。そして、この操作画面で受け付ける操作権指示操作および運転状態指示操作のうち、運転状態指示操作は、操作場所設定が「中央」であることに加え、自装置が操作権を有し、モード設定が「手動モード」であることを条件に操作可能となる。具体的な条件（操作可能条件）は、操作場所設定、操作権設定、およびモード設定を条件項目とし、各条件項目の値のＡＮＤ条件（操作場所設定＝「中央」＆操作権設定＝自装置の監視場所を示す値＆モード設定＝「手動モード」）で表すことができる。
【００４４】
ここで、操作場所設定およびモード設定の各条件項目が操作可能条件を満たすか否かは、その現在値と操作可能条件の値とを単に比較することで判定できる。これに対し、操作権設定が操作可能条件を満たすか否かについては、その現在値から操作権が与えられている監視場所を特定した上で、自装置の監視場所との一致／不一致を判別する必要があるが、各監視装置４０１，４０３が個々に自装置の監視場所とこの自装置の監視場所を示す操作権設定の値とを関連付けられれば、監視装置４０１，４０３側で自装置が操作権を有するか否かを判定することが可能となる。
【００４５】
図５は、具体的な運転状態指示操作の可否判定の手順を説明する説明図であり、併せてコントローラ３０の構成を示している。なお、図５では、監視装置（Ａ所）４０１に着目してデータ等の流れＣ１〜Ｃ１１を示しており、監視装置（Ｂ所）４０３についても同様であるので図示を省略している。図５に示すように、コントローラ３０は、条件項目管理部３１と、コントローラ側判定部３３と、運転状態制御部３５とを含む。
【００４６】
条件項目管理部３１は、操作可能条件の条件項目である操作場所設定、操作権設定、およびモード設定の現在値を管理する。
【００４７】
コントローラ側判定部３３は、操作場所設定およびモード設定の現在値が操作可能条件を満たすか否かを判定する。このコントローラ側判定部３３は、操作場所設定およびモード設定についての操作可能条件（操作場所設定＝「中央」＆モード設定＝「手動モード」）を固定的に入力するとともに（Ｃ１）、条件項目管理部３１から操作場所設定およびモード設定の現在値を入力し（Ｃ３）、各条件項目の値が一致する場合に、監視装置４０１，４０３に運転状態指示操作の許可通知（以下、実施の形態の説明において「操作許可通知」と呼ぶ。）を出力する（Ｃ５）。
【００４８】
運転状態制御部３５は、自動モードの設定時においては自動的に、手動モードの設定時においては監視装置４０１，４０３からの運転状態指示操作の通知に応じて、上記した切換制御通知をＮｏ．１ポンプ１０１の現場盤２０１に出力する。
【００４９】
一方、監視装置４０１，４０３では、操作受付処理の過程で操作権設定の現在値が操作可能条件を満たすか否かを判定する操作権判定処理を行い、その判定結果およびコントローラ３０からの操作許可通知の有無に応じて操作権指示操作や運転状態指示操作を適宜受け付ける態様で操作画面の表示処理を行う（Ｃ７，Ｃ８）。
【００５０】
図６は、監視装置４０１，４０３が行う操作受付処理の処理手順を示すフローチャートである。図６に示すように、監視装置４０１，４０３では、操作画面の表示に際し、先ず、操作権取得部４９１が、コントローラ３０から操作権設定の現在値を取得する（ステップＳ１）。また、ログイン名取得部４９３が、自装置のログイン名を取得する（ステップＳ３）。このログイン名は、自装置にログインする際に入力が求められる認証情報であり、事前に設定される。
【００５１】
続いて、監視装置側判定部４９５が、コントローラ３０から操作許可通知が入力されているか否かを判定する。そして、監視装置側判定部４９５は、操作許可通知が入力されていることを条件に（ステップＳ５：Ｙｅｓ）、操作権判定処理を行う（ステップＳ７）。この操作権判定処理では、監視装置側判定部４９５は、ステップＳ１で取得した操作権設定の現在値とステップＳ３で取得したログイン名とをもとに、操作権設定の現在値が操作可能条件を満たすか否か、すなわち、自装置が操作権を有するか否かを判定する。
【００５２】
本実施の形態では、ログイン名から自装置の監視場所を示す操作権設定の値を特定できるように、操作権が与えられる監視場所を示す操作権設定の値と、監視装置４０１，４０３のログイン名とを事前に設定しておく。具体的には、操作権設定の値は、監視場所に固有に割り当てた文字や文字列等とする。例えば、操作権がＡ所に与えられていることを示す操作権設定の値を「Ａ」、操作権がＢ所に与えられていることを示す操作権設定の値を「Ｂ」とする。一方、ログイン名は、自装置の監視場所について前述のように割り当てられた文字等を含む文字列として設定する。例えば、最後尾の文字を「Ａ」とする「ＬＣＤＡ」をＡ所に設置される監視装置（Ａ所）４０１のログイン名とし、最後尾の文字を「Ｂ」とする「ＬＣＤＢ」をＢ所に設置される監視装置（Ｂ所）４０３のログイン名とする。そして、この場合には、監視装置側判定部４９５は、ステップＳ７において、操作権設定の現在値とログイン名の最後尾の文字とを比較し、一致する場合に自装置が操作権を有すると判定する。一致しなければ、自装置に操作権はないと判定する。
【００５３】
続いて、表示処理部４９７がステップＳ８〜ステップＳ１１の処理を行い、操作権指示操作のための操作ボタンＢ２１，Ｂ２２、およびＮｏ．１ポンプ１０１の運転状態指示操作のための操作ボタンＢ２３，Ｂ２４を配置した操作画面を表示部４３に表示する処理を行う。
【００５４】
すなわち、表示処理部４９７は、ステップＳ７の操作権判定処理の判定結果に従い、自装置が操作権を有する場合には（ステップＳ８：Ｙｅｓ）、操作権指示操作および運転状態指示操作を受け付ける態様で操作画面を表示処理する（ステップＳ９）。コントローラ３０から操作許可通知が入力されており、かつその後の操作権判定処理で自装置が操作権を有すると判定した場合は、操作場所設定、操作権設定、およびモード設定の全てが操作可能条件を満たしており、自装置において運転状態指示操作が可能なためである。一方、表示処理部４９７は、コントローラ３０から操作許可通知が入力されていない場合や（ステップＳ５：Ｎｏ）、自装置に操作権がない場合には（ステップＳ８：Ｎｏ）、操作権指示操作のみを受け付け、運転状態指示操作については受け付けない態様で操作画面を表示処理する（ステップＳ１１）。コントローラ３０から操作許可通知が入力されていない場合や、入力されている場合であっても操作権判定処理で自装置に操作権がないと判定した場合には、操作場所設定、操作権設定、およびモード設定のいずれかが操作可能条件を満たしていないため、自装置での運転状態指示操作が不可であるためである。
【００５５】
実際の操作画面の表示に際しては、操作ボタンＢ２３，Ｂ２４の操作可否と、操作許可通知の有無および操作権判定処理の判定結果の組合せによって定まる運転状態指示操作の可否とを関連付けた画面定義を用いる。この画面定義は、各監視装置４０１，４０３において共通のものとして用意することができる。具体的には、コントローラ３０から操作許可通知が入力されており、操作権判定処理の結果自装置が操作権を有すると判定した場合に操作ボタンＢ２３，Ｂ２４を操作可能とし、入力されていない場合や自装置に操作権がないと判定した場合には操作不可とするように画面定義を事前に作成しておく。
【００５６】
その後、表示処理部４９７は、操作画面において操作ボタンＢ２１〜Ｂ２４が操作され、操作権指示操作または運転状態指示操作を受け付けた場合には（ステップＳ１３：Ｙｅｓ）、該当する操作をコントローラ３０に通知する（ステップＳ１５）。
【００５７】
そして、図５に示すように、コントローラ３０では、監視装置４０１，４０３からの運転状態指示操作の通知（Ｃ９）に応答し、運転状態制御部３５が、監視装置４０１，４０３における運転状態指示操作に応じた切換制御通知をＮｏ．１ポンプ１０１の現場盤２０１に出力する。また、監視装置４０１，４０３からの操作権指示操作の通知（Ｃ１１）に応答し、条件項目管理部３１が管理する操作権設定の現在値が更新される。
【００５８】
ここで、比較のため、図７を参照して、従来の監視制御システムにおける運転状態指示操作の可否判定の手順について説明する。なお、図７において、本実施の形態の監視制御システム１と同様の構成には同一の符号を付している。図７に示すように、従来の監視制御システムにおいても、本実施の形態と同様、各監視装置４０１ａ，４０３ａは、操作権指示操作のための操作ボタンＢ２１，Ｂ２２、およびＮｏ．１ポンプ１０１の運転状態指示操作のための操作ボタンＢ２３，Ｂ２４を配置し、操作権指示操作や運転状態指示操作を適宜受け付ける態様で操作画面の表示処理を行う。
【００５９】
一方、コントローラ３０ａは、条件項目管理部３１と、Ａ所用の判定用回路である操作可能条件判定部３７１ａと、Ｂ所用の判定用回路である操作可能条件判定部３７３ａと、運転状態制御部３５ａとを備える。
【００６０】
条件項目管理部３１は、本実施の形態の監視制御システム１と同様に、操作場所設定、操作権設定、およびモード設定の現在値を管理する。そして、これらのうちの操作権設定の現在値は、監視装置（Ａ所）４０１ａにおける操作権指示操作の通知（Ｄ１）や監視装置（Ｂ所）４０３ａにおける操作権指示操作の通知（Ｄ３）に応じて更新される。
【００６１】
Ａ所用の操作可能条件判定部３７１ａは、操作場所設定、操作権設定、およびモード設定の現在値が操作可能条件を満たすか否かを判定する。このＡ所用の操作可能条件判定部３７１ａは、監視装置（Ａ所）４０１ａにおいて運転状態指示操作が可能となる操作場所設定、操作権設定、およびモード設定についての操作可能条件（操作場所設定＝「中央」＆操作権設定＝「Ａ所」＆モード設定＝「手動モード」）を固定的に入力するとともに（Ｄ５）、条件項目管理部３１から操作場所設定、操作権設定、およびモード設定の現在値を入力し（Ｄ７）、各条件項目の値が一致する場合に、監視装置（Ａ所）４０１ａに操作許可通知を出力する（Ｄ９）。
【００６２】
この通知に応答し、監視装置（Ａ所）４０１ａでは、操作許可通知が入力されている場合には操作権指示操作および運転状態指示操作を受け付ける態様で操作画面を表示処理し、操作許可通知が入力されていない場合には操作権指示操作のみを受け付ける態様で操作画面を表示処理する。操作画面の表示に際しては、操作ボタンＢ２３，Ｂ２４の操作可否と、Ａ所用の操作可能条件判定部３７１ａからの操作許可通知の有無とを関連付けたＡ所用の画面定義を用いる。具体的には、Ａ所用の操作可能条件判定部３７１ａからの操作許可通知が入力されている場合に操作ボタンＢ２３，Ｂ２４を操作可能とし、入力されていない場合には操作不可とするようにＡ所用の画面定義を事前に作成しておく。
【００６３】
また、Ｂ所用の操作可能条件判定部３７３ａは、操作場所設定、操作権設定、およびモード設定の現在値が操作可能条件を満たすか否かを判定する。このＢ所用の操作可能条件判定部３７３ａは、監視装置（Ｂ所）４０３ａにおいて運転状態指示操作が可能となる操作場所設定、操作権設定、およびモード設定についての操作可能条件（操作場所設定＝「中央」＆操作権設定＝「Ｂ所」＆モード設定＝「手動モード」）を固定的に入力するとともに（Ｄ１１）、条件項目管理部３１から操作場所設定、操作権設定、およびモード設定の現在値を入力し（Ｄ１３）、各条件項目の値が一致する場合に、監視装置（Ｂ所）４０３ａに操作許可通知を出力する（Ｄ１５）。
【００６４】
この通知に応答し、監視装置（Ｂ所）４０３ａでは、操作ボタンＢ２３，Ｂ２４の操作可否と、Ｂ所用の操作可能条件判定部３７３ａからの操作許可通知の有無とを関連付けたＢ所用の画面定義を用い、操作許可通知が入力されている場合には操作権指示操作および運転状態指示操作を受け付ける態様で操作画面を表示処理し、操作許可通知が入力されていない場合には操作権指示操作のみを受け付ける態様で操作画面を表示処理する。Ｂ所用の画面定義も、Ａ所用の画面定義と同様に事前に作成される。
【００６５】
運転状態制御部３５ａは、監視装置（Ａ所）４０１ａからの運転状態指示操作の通知（Ｄ１７）に応答し、監視装置（Ａ所）４０１ａにおける運転状態指示操作に応じた切換制御通知をＮｏ．１ポンプの現場盤に出力するとともに、監視装置（Ｂ所）４０３ａからの運転状態指示操作の通知に応答し（Ｄ１９）、監視装置（Ｂ所）４０３ａにおける運転状態指示に応じた切換制御通知をＮｏ．１ポンプの現場盤に出力する。
【００６６】
以上説明したように、従来の監視制御システムでは、コントローラ３０ａが監視場所毎にＡ所用およびＢ所用の操作可能条件判定部３７１ａ，３７３ａを備えている。これは、従来の監視制御システムでは、監視装置４０１ａ，４０３ａの各々に自装置が設置された監視場所を特定する情報が存在しないため、監視装置４０１ａ，４０３ａ側で自装置が操作権を有するか否かを判定できなかったためである。このような従来の監視制御システムの構成では、監視場所の数が多ければその分コントローラ３０ａに搭載する操作可能条件判定部の数が増大する上、監視場所を追加する場合には、コントローラ３０ａにその監視場所用の操作可能条件判定部を増設する必要があった。さらに、操作画面の画面定義についても、監視場所毎に個別に定義する必要があった。
【００６７】
また、監視制御システムのテスト段階では、操作権が与えられている設置場所の監視装置のみが運転状態指示操作を受け付けて正しく対象装置の手動制御を行えるかどうかを確認する試験が必要となるが、この試験では、該当する監視場所に操作権が与えられている場合と与えられていない場合とを想定して各操作可能条件判定部が操作許可通知を正しく通知するかどうかを確認し、この通知に応答して運転状態指示操作を適正に受け付ける操作画面を表示処理するかを画面定義の異なる監視装置４０１ａ，４０３ａ毎に確認しなければならない。このため、監視場所の数に比例して試験に要する工数も増大する。
【００６８】
これに対し、本実施の形態の監視制御システム１では、操作場所設定およびモード設定の現在値が操作可能条件を満たすか否かをコントローラ３０側で判定し、操作権設定の現在値が操作可能条件を満たすか否かについては監視装置４０側で個別に判定することで、各監視装置４０において運転状態指示操作が可能か否かを判定することとした。そして、操作権設定の現在値が操作可能条件を満たすか否か、すなわち、自装置が操作権を有するか否かは、監視装置での操作権指示操作に応じて更新される操作権の現在値と自装置のログイン名とを比較することで判定することとした。
【００６９】
これによれば、コントローラ側判定部３３を各監視装置４０に共通の構成として用意することができるので、図７に示した従来の監視制御システムのようにＡ所用およびＢ所用の監視場所毎の操作可能条件判定部（判定用回路）３７１ａ，３７３ａをコントローラに設ける必要がない。監視場所を追加する場合であっても、その監視場所用の操作可能条件判定部を新たにコントローラに増設する必要もない。一方、各監視装置４０においても、各々が同様の操作受付処理を行えばよく、どの監視装置４０においても共通の画面定義を用いて操作画面の表示処理を行える。したがって、必要な構成を増やすことなく、異なる監視場所での重複操作を防止して運転状態指示操作を適正に受け付けることができる。しかも、ログイン時に入力を受け付けるログイン名から自装置が操作権を有するか否かを監視装置４０側で簡単に判定することができる。
【００７０】
また、このようにコントローラ３０に設けるコントローラ側判定部３３を各監視装置４０に共通の構成とし、各監視装置４０においても共通の画面定義を用いて操作画面を表示処理できるので、前述の試験に要する工数を大幅に削減できる。
【００７１】
（変形例）
上記した実施の形態では、モードの設定をコントローラ３０によって自動的に行うこととした。これに対し、モードの設定は、オペレータによる操作を受け付けることで切り換えるようにしてもよい。なお、図示はしないが、本変形例の監視制御システムは、上記した実施の形態の監視制御システム１（図１等）と同様の構成を有する。また、監視装置についても、実施の形態と同様に構成され（図２等）、制御部は、操作権取得部と、ログイン名取得部と、監視装置側判定部と、表示処理部とを備える。
【００７２】
図８は、本変形例におけるモード指示操作および運転状態指示操作の可否判定の手順を説明する説明図であり、併せて本変形例における監視装置（Ａ所）４０１ｂおよび監視装置（Ｂ所）４０３ｂの監視画面およびコントローラ３０ｂの構成を示している。なお、上記した実施の形態と同一の構成には同一の符号を付する。
【００７３】
本変形例の監視装置４０１ｂ，４０３ｂでは、Ｎｏ１ポンプ等の監視制御対象の対象装置の運転に関するオペレータの操作として、上記した実施の形態で説明した運転状態指示操作および操作権指示操作に加え、モード指示操作を受け付ける。そして、監視装置４０１ｂ，４０３ｂは、モード指示操作に応じて該当する対象装置についてのモードをコントローラ３０ｂに出力する。例えば、図８に示すように、監視装置４０１ｂ，４０３ｂの操作画面には、操作ボタンＢ２１〜Ｂ２４に加え、Ｎｏ．１ポンプのモードとして「手動」，「手動」の２つの選択肢が操作ボタンＢ２５，Ｂ２６として表示される。
【００７４】
本変形例においても、監視装置４０１ｂ，４０３ｂの操作画面は、操作場所設定が「中央」であることを前提に操作を受け付けるが、モード指示操作は、操作場所設定が「中央」であることに加えて、自装置が操作権を有することを条件に操作可能となる。具体的な条件（操作可能条件）は、操作場所設定および操作権設定を条件項目とし、各条件項目の値のＡＮＤ条件（操作場所設定＝「中央」＆操作権設定＝自装置の監視場所を示す値）で表すことができる。例えば、図８は、操作権がＡ所に与えられている場合の操作画面例であり、監視装置（Ａ所）４０１ｂの操作画面では操作ボタンＢ２５，Ｂ２６の操作が可能であるのに対し、監視装置（Ｂ所）４０３ｂの操作画面では操作ボタンＢ２５，Ｂ２６は操作できないようになっている。
【００７５】
コントローラ３０ｂは、監視装置４０１ｂ，４０３ｂから入力されるモードに応じて該当する対象装置の現在のモード設定を更新する。また、コントローラ３０ｂは、条件項目管理部３１と、コントローラ側判定部３３ｂと、運転状態制御部３５ｂとを含む。コントローラ側判定部３３ｂは、操作場所設定の現在値がモード指示操作の操作可能条件を満たすか否かを判定するモード用判定部３３１ｂと、操作場所設定およびモード設定の現在値が運転状態指示操作の操作可能条件を満たすか否かを判定する運転状態用判定部３３３ｂとを備える。
【００７６】
そして、モード用判定部３３１ｂは、モード指示操作の操作場所設定についての操作可能条件（操作場所設定＝「中央」）を固定的に入力するとともに（Ｄ１）、条件項目管理部３１から操作場所設定の現在値を入力し（Ｄ３）、これらの値が一致する場合に、監視装置４０１ｂ，４０３ｂにモード指示操作の許可通知を出力する（Ｄ５）。
【００７７】
また、運転状態用判定部３３３ｂは、上記した実施の形態のコントローラ側判定部３３と同様の処理を行う。すなわち、運転状態用判定部３３３ｂは、運転状態指示操作の操作場所設定およびモード設定についての操作可能条件（操作場所設定＝「中央」＆モード設定＝「手動モード」）を固定的に入力するとともに（Ｄ７）、条件項目管理部３１から操作場所設定およびモード設定の現在値を入力し（Ｄ９）、各条件項目の値が一致する場合に、監視装置４０１ｂ，４０３ｂに運転状態指示操作の許可通知を出力する（Ｄ１１）。
【００７８】
一方、監視装置４０１ｂ，４０３ｂでは、操作受付処理の過程で上記した実施の形態と同様に操作権判定処理を行い、その判定結果およびコントローラ３０ｂからの許可通知の有無に応じて、操作権指示操作やモード指示指示操作、運転状態指示操作を適宜受け付ける態様で操作画面の表示処理を行う（Ｄ１３〜Ｄ１５）。
【００７９】
図６は、監視装置４０１ｂ，４０３ｂが行う操作受付処理の処理手順を示すフローチャートである。なお、上記した実施の形態と同一の処理工程には同一の符号を付する。図６に示すように、本変形例の操作受付処理では、監視装置側判定部が、ステップＳ５１において、コントローラ３０ｂからモード指示操作の許可通知または運転状態指示操作の許可通知が入力されているか否かを判定する。そして、監視装置側判定部は、モード指示操作の許可通知または運転状態指示操作の許可通知が入力されていることを条件に（ステップＳ５１：Ｙｅｓ）、操作権判定処理を行う（ステップＳ７）。なお、ここでは、モード指示操作の許可通知または運転状態指示操作の許可通知の有無を判定したが、実際には、運転状態指示操作とモード指示操作とでは操作場所設定についての操作可能条件が一致するため、運転状態指示操作の許可通知が入力される場合は、モード指示操作の許可通知も入力される。
【００８０】
続いて、表示処理部が、ステップＳ７の操作権判定処理の判定結果に従い、自装置が操作権を有する場合であって（ステップＳ８：Ｙｅｓ）、モード指示操作の許可通知および運転状態指示操作の許可通知の両方が入力されている場合には（ステップＳ９１：Ｙｅｓ）、操作権指示操作、モード指示操作、および運転状態指示操作を受け付ける態様で操作画面を表示処理する（ステップＳ９３）。
【００８１】
一方、表示処理部は、モード指示操作の許可通知および運転状態指示操作の許可通知の両方が入力されていない場合、すなわち、モード指示操作の許可通知のみが入力されている場合には（ステップＳ９１：Ｎｏ）、操作権指示操作およびモード指示操作を受け付け、運転状態指示操作については受け付けない態様で操作画面を表示処理する（ステップＳ９５）。
【００８２】
また、表示処理部は、コントローラ３０ｂからモード指示操作の許可通知および運転状態指示操作の許可通知のいずれも入力されていない場合や（ステップＳ５１：Ｎｏ）、自装置に操作権がない場合には（ステップＳ８：Ｎｏ）、操作権指示操作のみを受け付け、モード指示操作および運転状態指示操作については受け付けない態様で操作画面を表示処理する（ステップＳ１１１）。
【００８３】
実際の操作画面の表示に際しては、上記した実施の形態と同様に各監視装置４０１ｂ，４０３ｂにおいて共通の画面定義を用いる。すなわち、コントローラ３０ｂからモード指示操作の許可通知が入力されており、操作権判定処理の結果自装置が操作権を有すると判定した場合に操作ボタンＢ２５，Ｂ２６を操作可能とし、入力されていない場合や自装置に操作権がないと判定した場合には操作不可とするとともに、コントローラ３０ｂから運転状態指示操作の許可通知が入力されており、操作権判定処理の結果自装置が操作権を有すると判定した場合に操作ボタンＢ２３，Ｂ２４を操作可能とし、入力されていない場合や自装置に操作権がないと判定した場合には操作不可とするように画面定義を事前に作成しておく。
【００８４】
その後、表示処理部は、操作画面において操作ボタンＢ２１〜Ｂ２６が操作され、操作権指示操作、モード指示操作、または運転状態指示操作を受け付けた場合には（ステップＳ１３：Ｙｅｓ）、該当する操作をコントローラ３０ｂに通知する（ステップＳ１５）。
【００８５】
そして、図８に示すように、コントローラ３０ｂでは、監視装置４０１ｂ，４０３ｂからの運転状態指示操作の通知（Ｄ１９）に応答し、運転状態制御部３５ｂが、監視装置４０１ｂ，４０３ｂにおける運転状態指示操作に応じた切換制御通知をＮｏ．１ポンプの現場盤に出力する。また、監視装置４０１ｂ，４０３ｂからの操作権指示操作の通知（Ｄ２１）やモード指示操作の通知（Ｄ２３）に応答し、条件項目管理部３１が管理する操作権設定の現在値が更新される。
【００８６】
以上説明したように、本変形例によれば、上記した実施の形態と同様の効果を奏することができる。また、本変形例のようにモード指示操作をさらに受け付ける場合、従来の監視制御システムでは、運転状態指示操作の操作可能条件を判定する監視場所毎の判定用回路（図７に示して説明した操作可能条件判定部３７１ａ，３７３ａ）に加えて、さらにモード指示操作の操作可能条件を判定する監視場所毎の（Ａ所用およびＢ所用の）判定用回路が必要となり、コントローラに搭載する判定用回路の数がさらに増大する。これに対し、本変形例によれば、モード用判定部３３１ｂおよび運転状態用判定部３３３ｂを各監視装置４０１ｂ，４０３ｂに共通の構成とし、各監視装置４０１ｂ，４０３ｂにおいても共通の画面定義を用いて操作画面を表示処理できる。
【符号の説明】
【００８７】
１      監視制御システム
１０      対象装置
１０−１      ポンプ
１０１      Ｎｏ．１ポンプ
２０，２０１      現場盤
２１      指令出力部
３０      コントローラ
３１      条件項目管理部
３３      コントローラ側判定部
３５      運転状態制御部
４０，４０１，４０３      監視装置
４１      入力部
４３      表示部
４５      通信部
４７      記憶部
４９      制御部
４９１      操作権取得部
４９３      ログイン名取得部
４９５      監視装置側判定部
４９７      表示処理部
【図１】
2014056330.tif 000003
【図２】
2014056330.tif 000004
【図３】
2014056330.tif 000005
【図４−１】
2014056330.tif 000006
【図４−２】
2014056330.tif 000007
【図５】
2014056330.tif 000008
【図６】
2014056330.tif 000009
【図７】
2014056330.tif 000010
【図８】
2014056330.tif 000011
【図９】
2014056330.tif 000012